(57)【要約】【課題】所定の対象物に文字や静止画あるいは動画等を仮想的に残すことができる仮想内容記憶方法を提供することを目的としている。【解決手段】ユーザがユーザ端末のカメラ機能を用いて所定の対象物を撮像し、該撮像した所定の対象物を仮想内容記憶サーバに送信するステップ（ステップＳ１）と、  撮像した所定の対象物に対してユーザがユーザ端末２を用いて仮想内容を入力し、該入力した仮想内容を仮想内容記憶サーバに送信するステップ（ステップＳ４）と、  撮像した所定の対象物に関連付けて入力した仮想内容を、仮想内容記憶サーバにて、該仮想内容記憶サーバに記憶するステップ（ステップＳ５）と、を含んでなる。【選択図】図６
2018106307.tif 000002
【特許請求の範囲】
【請求項１】
撮像手段を備えたユーザ端末と仮想内容記憶サーバとがネットワークを介して接続されてなる仮想内容記憶方法であって、
ユーザが前記ユーザ端末の撮像手段を用いて所定の対象物を撮像し、該撮像した所定の対象物を前記仮想文字内容記憶サーバに送信するステップと、
前記撮像した所定の対象物に対してユーザが前記ユーザ端末を用いて仮想内容を入力し、該入力した仮想内容を前記仮想内容記憶サーバに送信するステップと、
前記撮像した所定の対象物に関連付けて前記入力した仮想内容を、前記仮想内容記憶サーバにて、該仮想内容記憶サーバに記憶するステップと、を含んでなる仮想内容記憶方法。
【請求項２】
ユーザが前記ユーザ端末の撮像手段を用いて所定の対象物を新たに撮像し、該新たに撮像した所定の対象物を前記仮想内容記憶サーバに送信するステップと、
前記仮想内容記憶サーバにて、前記送信された新たに撮像した所定の対象物に基づいて当該仮想内容記憶サーバに前記撮像した所定の対象物に関連付けて記憶されている仮想内容を読み出し、該読み出した仮想内容を前記ユーザ端末に送信するステップと、をさらに含んでなる請求項１に記載の仮想内容記憶方法。
【請求項３】
前記ユーザ端末は、位置情報を取得可能な位置情報取得手段を備えており、
前記撮像した所定の対象物を前記仮想内容記憶サーバに送信する際、前記位置情報取得手段にて取得した位置情報も送信してなる請求項１又は２に記載の仮想内容記憶方法。
【発明の詳細な説明】
【技術分野】
【０００１】
本発明は、所定の対象物に文字や静止画あるいは動画等を仮想的に残すことができる仮想内容記憶方法に関する。
【背景技術】
【０００２】
元来、人間の願望として、名所旧跡を訪れた際、感想やメッセージを残そうと思う人が多く、その手段として、従来、落書きをしたり、あるいは、ノートに寄せ書きをしたりする場合が多く見受けられた。
【発明の概要】
【発明が解決しようとする課題】
【０００３】
しかしながら、上記のような方法は、何れも保存性に難点があるという問題があった。すなわち、落書きの場合は美化を損ねるものとして強制的に消去され、ノートに寄せ書きをした場合は、そのノートが破損したり紛失したりすることがあった。また、名所旧跡を訪れる観光客の中には、願望を満たすべく国宝級の建造物などに落書きをする者が多々あり、社会問題にもなっている。
【０００４】
そこで本発明は、上記問題に鑑み、所定の対象物に文字や静止画あるいは動画等を仮想的に残すことができる仮想内容記憶方法を提供することを目的としている。
【課題を解決するための手段】
【０００５】
上記課題を解決するための手段は、以下の手段によって達成される。なお、括弧内は、後述する実施形態の参照符号を付したものであるが、本発明はこれに限定されるものではない。
【０００６】
請求項１に係る仮想内容記憶方法は、撮像手段（カメラ機能）を備えたユーザ端末（２）と仮想内容記憶サーバ（１）とがネットワーク（Ｎ）を介して接続されてなる仮想内容記憶方法であって、
ユーザが前記ユーザ端末（２）の撮像手段（カメラ機能）を用いて所定の対象物（図４（ａ）に示す画像Ｐ１参照）を撮像し、該撮像した所定の対象物（図４（ａ）に示す画像Ｐ１参照）を前記仮想内容記憶サーバ（１）に送信するステップ（ステップＳ１）と、
前記撮像した所定の対象物（図４（ｃ）に示す画像Ｐ１，特に、物体Ａ参照）に対してユーザが前記ユーザ端末（２）を用いて仮想内容を入力し、該入力した仮想内容を前記仮想内容記憶サーバ（１）に送信するステップ（ステップＳ４）と、
前記撮像した所定の対象物（図４（ｃ）に示す画像Ｐ１，特に、物体Ａ参照）に関連付けて前記入力した仮想内容を、前記仮想内容記憶サーバ（１）にて、該仮想内容記憶サーバ（１）に記憶するステップ（ステップＳ５）と、を含んでなることを特徴としている。
【０００７】
また、請求項２に係る仮想内容記憶方法は、上記請求項１に記載の仮想内容記憶方法において、ユーザが前記ユーザ端末（２）の撮像手段（カメラ機能）を用いて所定の対象物（図５（ａ）に示す画像Ｐ１参照）を新たに撮像し、該新たに撮像した所定の対象物（図５（ａ）に示す画像Ｐ１参照）を前記仮想内容記憶サーバ（１）に送信するステップ（ステップＳ１０）と、
前記仮想内容記憶サーバ（１）にて、前記送信された新たに撮像した所定の対象物（図５（ｂ）に示す画像Ｐ２，特に、物体Ａ参照）に基づいて当該仮想内容記憶サーバ（１）に前記撮像した所定の対象物（図４（ｂ），（ｃ）に示す画像Ｐ２，特に、物体Ａ参照）に関連付けて記憶されている仮想内容を読み出し、該読み出した仮想内容を前記ユーザ端末（２）に送信するステップ（ステップＳ１２）と、をさらに含んでなることを特徴としている。
【０００８】
さらに、請求項３に係る仮想内容記憶方法は、上記請求項１又は２に記載の仮想内容記憶方法において、前記ユーザ端末（２）は、位置情報を取得可能な位置情報取得手段（ＧＰＳ機能）を備えており、
前記撮像した所定の対象物（図４（ａ），図５（ａ）に示す画像Ｐ１参照）を前記仮想内容記憶サーバ（１）に送信する際、前記位置情報取得手段（ＧＰＳ機能）にて取得した位置情報も送信してなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る発明によれば、ユーザがユーザ端末（２）の撮像手段（カメラ機能）を用いて所定の対象物（図４（ａ）に示す画像Ｐ１参照）を撮像し、その撮像した所定の対象物（図４（ａ）に示す画像Ｐ１参照）を仮想内容記憶サーバ（１）に送信する。そして、撮像した所定の対象物（図４（ｃ）に示す画像Ｐ１，特に、物体Ａ参照）に対してユーザがユーザ端末（２）を用いて文字や静止画あるいは動画等の仮想内容を入力し、その入力した仮想内容を仮想内容記憶サーバ（１）に送信する。これにより、仮想内容記憶サーバ（１）は、入力された仮想内容を、撮像した所定の対象物（図４（ｃ）に示す画像Ｐ１，特に、物体Ａ参照）に関連付けて記憶することができる。
【００１１】
しかして、本発明によれば、所定の対象物に文字や静止画あるいは動画等を仮想的に残すことができる。
【００１２】
また、請求項２に係る発明によれば、ユーザがユーザ端末（２）の撮像手段（カメラ機能）を用いて所定の対象物（図５（ａ）に示す画像Ｐ１参照）を新たに撮像し、その新たに撮像した所定の対象物（図５（ａ）に示す画像Ｐ１参照）を仮想内容記憶サーバ（１）に送信する。そして、仮想内容記憶サーバ（１）にて、送信された新たに撮像した所定の対象物（図５（ｂ）に示す画像Ｐ２，特に、物体Ａ参照）に基づいて当該仮想内容記憶サーバ（１）に所定の対象物（図４（ｂ），（ｃ）に示す画像Ｐ２，特に、物体Ａ参照）に関連付けて記憶されている仮想内容を読み出し、その読み出した仮想内容をユーザ端末（２）に送信するようにしている。これにより、所定の対象物に仮想的に残した文字や静止画あるいは動画等を他の人と共有することができる。
【００１３】
さらに、請求項３に係る発明によれば、撮像した所定の対象物（図４（ａ），図５（ａ）に示す画像Ｐ１参照）を仮想内容記憶サーバ（１）に送信する際、位置情報取得手段（ＧＰＳ機能）にて取得した位置情報も送信するようにしている。これにより、仮想内容記憶サーバ（１）にて、送信された新たに撮像した所定の対象物（図５（ｂ）に示す画像Ｐ２，特に、物体Ａ参照）に基づいて当該仮想内容記憶サーバ（１）に所定の対象物（図４（ｂ），（ｃ）に示す画像Ｐ２，特に、物体Ａ参照）に関連付けて記憶されている仮想内容を読み出す際、寺院や神社等似たような物体が記憶されていたとしても、位置情報も用いて特定するようにすれば、確実に所望の仮想内容を読み出すことができる。
【図面の簡単な説明】
【００１４】
【図１】本発明に係る仮想内容記憶システムの一実施形態を示す全体図である。
【図２】同実施形態に係る仮想内容記憶サーバの概念ブロック図である。
【図３】同実施形態に係る仮想内容記憶データベースに格納されているテーブルを示す図である。
【図４】（ａ）〜（ｃ）は、同実施形態に係る仮想内容記憶システムを用いて仮想内容を入力する場合の画面例を示す図である。
【図５】（ａ）〜（ｃ）は、同実施形態に係る仮想内容記憶システムを用いて仮想内容を見る場合の画面例を示す図である。
【図６】同実施形態に係る仮想内容記憶システムの一使用例のうち、仮想内容を入力する場合を説明するフローチャート図である。
【図７】同実施形態に係る仮想内容記憶システムの一使用例のうち、仮想内容を見る場合を説明するフローチャート図である。
【発明を実施するための形態】
【００１５】
以下、本発明に係る仮想内容記憶方法に関する仮想内容記憶システムの一実施形態について、図面を参照して具体的に説明する。仮想内容記憶システムは、図１に示すように、仮想内容記憶サーバ１と、ユーザが使用するユーザ端末２とがネットワークＮを介して接続されている。このユーザ端末２は、ｉｐｈｏｎｅ（登録商標）等のスマートフォンや携帯電話、ＰＤＡ（Ｐｅｒｓｏｎａｌ  Ｄｉｇｉｔａｌ  Ａｓｓｉｓｔａｎｃｅ）等で構成されており、所定の対象物を撮像できるカメラ機能及び位置情報を取得することができるＧＰＳ機能を備えているものである。
【００１６】
一方、仮想内容記憶サーバ１は、図２に示すように、ＣＰＵ等からなる中央制御部１０と、ユーザがユーザ端末２（図１参照）を用いて送信した情報を取得するユーザ送信情報取得部１１と、仮想内容記憶データベース１２と、物体特定部１３と、仮想内容入力枠画像生成部１４と、仮想内容抽出部１５と、無線ＬＡＮ，有線ＬＡＮ，ダイヤルアップ等の通信手段でネットワークＮに接続が可能な通信部１６とで構成されている。
【００１７】
ところで、仮想内容記憶データベース１２には、図３に示すように、特定物体及び位置情報に関連付けて仮想内容が記憶されているテーブルＴＢＬが格納されている。より具体的に説明すると、このテーブルＴＢＬには、ユーザがユーザ端末２（図１参照）のカメラ機能を用いて撮像し、物体特定部１３にて特定した特定物体（図示では、物体Ａ，物体Ｂ，物体Ｃと記載）が記憶され（ＴＢ１参照）、そして、ユーザ端末２（図１参照）がＧＰＳ機能を備えていることから、この特定物体に対応する夫々の位置情報（図示では、位置情報Ａ，位置情報Ｃ，位置情報Ｄと記載）が記憶され（ＴＢ２参照）、そしてさらに、ユーザがユーザ端末２（図１参照）を用いて入力した仮想内容（図示では、仮想文字が入力された例を示している（この建物が大好き、完成度が高いですね、おいしそうですね、購入したい！、一番感動する作品だよ））が、特定物体（ＴＢ１参照）及び位置情報（ＴＢ２参照）に関連付けられて記憶（ＴＢ３参照）されている。なお、図３に示すＴＢ３に記憶されている仮想内容として、本実施形態においては、仮想文字が記憶されている例を示しているが、それに限らず、静止画や動画等を記憶しておくことも可能である。
【００１８】
一方、物体特定部１３は、ユーザがユーザ端末２（図１参照）のカメラ機能を用いて撮像した撮像画像から所定の物体を特定するものである。具体的には、図４（ａ）に示すように、ユーザがユーザ端末２のカメラ機能を用いて、画像Ｐ１を撮像すると、ユーザ送信情報取得部１１（図２参照）がその情報を取得する。これを受けて、物体特定部１３は、その画像Ｐ１から、建物や絵等の物体を検出し、その中でも画像Ｐ１に占める割合が多い物体を特定する。すなわち、図４（ａ）に示す画像Ｐ１のうち、画像Ｐ１に占める割合が多い物体は、建物であるため、物体特定部１３にて、図４（ｂ）に示すように、建物が特定され（物体Ａ参照）、その部分が枠で囲まれた画像（画像Ｐ２ａ）が画像Ｐ２としてユーザ端末２に表示されることとなる。なお、図４（ａ）に示す画像Ｐ１をユーザ送信情報取得部１１（図２参照）が取得する際、ユーザ端末２にはＧＰＳ機能が備わっていることから、ユーザ送信情報取得部１１（図２参照）は、このＧＰＳ機能により取得した位置情報も合せて取得することとなる。なおまた、画像Ｐ１に占める割合が多い物体が複数存在する場合は、複数の物体が特定されることとなる。
【００１９】
一方、仮想内容入力枠画像生成部１４は、ユーザに対し、ユーザ端末２（図１参照）を用いて、文字や静止画あるいは動画等の仮想内容の入力をするよう促す枠画像を生成するものである。すなわち、図４（ｂ）に示すように、画像Ｐ２がユーザ端末２に表示された後、仮想内容入力枠画像生成部１４は、図４（ｃ）に示す枠画像Ｐ２ｂを生成する。これにより、図４（ｃ）に示すように、ユーザ端末２に枠画像Ｐ２ｂが表示され、この枠画像Ｐ２ｂ内にユーザがユーザ端末２を用いて仮想内容を入力することができることとなる。
【００２０】
かくして、この入力された仮想内容（図４（ｃ）では、仮想文字として「この建物が大好き」と入力された例を記載）がユーザ送信情報取得部１１（図２参照）にて取得されると、中央制御部１０は、仮想内容記憶データベース１２に格納されているテーブルＴＢＬのＴＢ１に物体特定部１３にて特定した特定物体（図４（ｂ）に示す物体Ａ参照）を記憶すると共に、ＴＢ２にその特定物体の位置情報（図３に示す位置情報Ａ参照）を記憶し、さらに、この入力された仮想内容（図４（ｃ）では、仮想文字として「この建物が大好き」と入力された例を記載）をＴＢ３に記憶することとなる。
【００２１】
しかして、このようにして、図３に示すＴＢＬに、特定物体（ＴＢ１参照）及び位置情報（ＴＢ２参照）に関連付けて仮想内容（ＴＢ３参照）が記憶されていくこととなる。
【００２２】
他方、仮想内容抽出部１５は、仮想文字内容記憶データベース１２に格納されているテーブルＴＢＬ（図３参照）内に記憶されている仮想内容を読み出すものである。
【００２３】
具体的には、図５（ａ）に示すように、ユーザがユーザ端末２のカメラ機能を用いて、画像Ｐ１を撮像すると、ユーザ送信情報取得部１１（図２参照）がその情報を取得する。これを受けて、物体特定部１３は、その画像Ｐ１から、建物や絵等の物体を特定し、その中でも画像Ｐ１に占める割合が多い物体を特定する。すなわち、図５（ａ）に示す画像Ｐ１のうち、画像Ｐ１に占める割合が多い物体は、建物であるため、物体特定部１３にて、図５（ｂ）に示すように、建物が特定され（物体Ａ参照）、その部分が枠で囲まれた画像（画像Ｐ２ａ）が画像Ｐ２としてユーザ端末２に表示されることとなる。なお、図５（ａ）に示す画像Ｐ１をユーザ送信情報取得部１１（図２参照）が取得する際、ユーザ端末２にはＧＰＳ機能が備わっていることから、ユーザ送信情報取得部１１（図２参照）は、このＧＰＳ機能により取得した位置情報も合せて取得することとなる。
【００２４】
次いで、上記物体特定部１３にて特定した物体（図５（ｂ）に示す物体Ａ参照）が仮想文字内容記憶データベース１２に格納されているテーブルＴＢＬ（図３参照）に記憶されているか否かを、仮想内容抽出部１５にて特定する。これにより、物体特定部１３にて特定した物体（図５（ｂ）に示す物体Ａ参照）に関連付けて記憶されている仮想内容（図３に示すＴＢ３参照）が読み出され、もって、図５（ｃ）に示すように、入力された仮想内容（枠画像Ｐ２ｃ参照）がユーザ端末２に表示されることとなる。なお、物体特定部１３にて特定した物体を特定するにあたり、位置情報は特段必要ないが、寺院や神社等似たような特定物体がテーブルＴＢＬ（図３参照）に記憶されていた場合、誤った特定物体を特定してしまう可能性があるため、ＧＰＳ機能により取得した位置情報も用いて特定するようにすれば、確実に目的の物体を特定することができる。
【００２５】
＜仮想内容記憶システム使用例＞
ここで、上記説明した仮想内容記憶システムの一使用例を、仮想内容を入力する場合と、仮想内容を見る場合とに分けて、図６〜図７のフローチャート図も参照して説明する。
【００２６】
まず、仮想内容を入力する場合を、図６を参照して具体的に説明する。
【００２７】
ユーザが予めユーザ端末２（図１参照）にインストールされているアプリケーションを起動し、図示しないメニュー画面から仮想内容を入力したい旨の内容を選択するとともに、ユーザ端末２のカメラ機能を用いて、図４（ａ）に示す画像Ｐ１を撮像する。この際、ユーザ端末２には位置情報を取得することができるＧＰＳ機能が備わっていることから、画像Ｐ１を撮像した際、その画像Ｐ１に位置情報が付加されることとなる。そして、その選択した内容及び撮像した画像Ｐ１並びに位置情報を、ユーザがユーザ端末２を用いてネットワークＮを介して仮想内容記憶サーバ１（図１参照）に送信する（ステップＳ１）。なお、本実施形態において示す、ユーザ端末２のカメラ機能を用いて、図４（ａ）に示す画像Ｐ１を撮像するとは、カメラ機能を用いて実際に撮影したもの、並びに、カメラ機能を用いて実際に撮影したものでなく、単に、ユーザ端末２のカメラ機能を用いて、図４（ａ）に示す画像Ｐ１を液晶画面に表示させただけのものも含まれる。
【００２８】
しかして、これを受けて、図２に示す仮想内容記憶サーバ１のユーザ送信情報取得部１１は、その選択した内容及び撮像した画像Ｐ１並びに位置情報を取得し、中央制御部１０に送出する。中央制御部１０は、その送出された内容を受けて、物体特定部１３に、ユーザ送信情報取得部１１にて取得した画像Ｐ１を送出する。これを受けて、物体特定部１３は、画像Ｐ１のうち、画像Ｐ１に占める割合が多い物体（図４（ｂ）に示す物体Ａ参照）を特定し、その特定した部分が枠で囲まれた画像（画像Ｐ２ａ）を生成し、中央制御部１０に送出する。中央制御部１０は、その送出された内容を、ネットワークＮを介して、ユーザ端末２（図１参照）に送信する（ステップＳ２）。これにより、ユーザ端末２に図４（ｂ）に示す画像Ｐ２が表示されることとなる。なお、本実施形態おいては、理解を容易にするために、１つの物体を特定する例を示したが、上記説明したように、複数の物体を特定するようにしても良い。
【００２９】
次いで、図２に示す中央制御部１０は、仮想内容入力枠画像生成部１４に、ユーザに仮想内容の入力を促す枠画像を生成するよう指示する。これを受けて、仮想内容入力枠画像生成部１４は、文字や静止画あるいは動画等の仮想内容の入力を促す枠画像（図４（ｃ）に示す枠画像Ｐ２ｂ参照）を生成し、中央制御部１０に送出する。中央制御部１０は、その送出された内容を、ネットワークＮを介して、ユーザ端末２（図１参照）に送信する（ステップＳ３）。これにより、ユーザ端末２に図４（ｃ）に示す枠画像Ｐ２ｂが表示されることとなる。
【００３０】
次いで、ユーザは、ユーザ端末２（図１参照）を用いて、表示されている枠画像Ｐ２ｂ内に文字や静止画あるいは動画等の所望の仮想内容を入力する（図４（ｃ）では、仮想文字が入力された例を示しており、「この建物が大好き」と入力した例を示している）。そして、その入力した仮想内容を、ユーザがユーザ端末２を用いてネットワークＮを介して仮想内容記憶サーバ１に送信する（ステップＳ４）。
【００３１】
これを受けて、図２に示す仮想内容記憶サーバ１のユーザ送信情報取得部１１は、その入力された仮想内容を取得し、中央制御部１０に送出する。中央制御部１０は、その送出された内容を受けて、仮想内容記憶データベース１２に格納されているテーブルＴＢＬ（図３参照）のＴＢ１に物体特定部１３にて特定した物体（図４（ｂ）に示す物体Ａ参照）を記憶すると共に、ＴＢ２にその特定した物体の位置情報（図３に示す位置情報Ａ参照）を記憶し、さらに、この入力された仮想内容（図４（ｃ）では、仮想文字が入力された例を示しており、「この建物が大好き」と入力した例を示している）をＴＢ３に記憶することとなる（ステップＳ５）。これにより、図３に示すＴＢＬに、特定物体（ＴＢ１参照）及び位置情報（ＴＢ２参照）に関連付けて仮想内容（ＴＢ３参照）が記憶されていくこととなる。
【００３２】
次に、仮想内容を見る場合を、図７を参照して具体的に説明する。
【００３３】
ユーザが予めユーザ端末２（図１参照）にインストールされているアプリケーションを起動し、図示しないメニュー画面から仮想内容を見たい旨の内容を選択するとともに、ユーザ端末２のカメラ機能を用いて、図５（ａ）に示す画像Ｐ１を撮像する。この際、ユーザ端末２には位置情報を取得することができるＧＰＳ機能が備わっていることから、画像Ｐ１を撮像した際、その画像Ｐ１に位置情報が付加されることとなる。そして、その選択した内容及び撮像した画像Ｐ１並びに位置情報を、ユーザ端末２を用いてネットワークＮを介して仮想内容記憶サーバ１に送信する（ステップＳ１０）。なお、本実施形態において示す、ユーザ端末２のカメラ機能を用いて、図５（ａ）に示す画像Ｐ１を撮像するとは、カメラ機能を用いて実際に撮影したもの、並びに、カメラ機能を用いて実際に撮影したものでなく、単に、ユーザ端末２のカメラ機能を用いて、図５（ａ）に示す画像Ｐ１を液晶画面に表示させただけのものも含まれる。
【００３４】
これを受けて、図２に示す仮想内容記憶サーバ１のユーザ送信情報取得部１１は、その選択した内容及び撮像した画像Ｐ１並びに位置情報を取得し、中央制御部１０に送出する。中央制御部１０は、その送出された内容を受けて、物体特定部１３に、ユーザ送信情報取得部１１にて取得した画像Ｐ１を送出する。これを受けて、物体特定部１３は、画像Ｐ１のうち、画像Ｐ１に占める割合が多い物体（図５（ｂ）に示す物体Ａ参照）を特定し、その特定した部分が枠で囲まれた画像（画像Ｐ２ａ）を生成し、中央制御部１０に送出する。
【００３５】
これを受けて、中央制御部１０は、仮想内容抽出部１５に、仮想文字内容記憶データベース１２に格納されているテーブルＴＢＬ（図３参照）内に、物体特定部１３にて特定した物体（図５（ｂ）に示す物体Ａ参照）が記憶されているか否かを特定するよう指示する。これを受けて、仮想内容抽出部１５は、仮想内容記憶データベース１２に格納されているテーブルＴＢＬに物体特定部１３にて特定した物体（図５（ｂ）に示す物体Ａ参照）が記憶されているか否かを特定し、中央制御部１０に特定の結果を送出する。特定の結果、特定した物体（図５（ｂ）に示す物体Ａ参照）が仮想内容記憶データベース１２に格納されているテーブルＴＢＬに記憶されていれば、中央制御部１０は、物体特定部１３より送出された内容を、ネットワークＮを介して、ユーザ端末２（図１参照）に送信する（ステップＳ１１）。これにより、ユーザ端末２に図５（ｂ）に示す画像Ｐ２が表示されることとなる。なお、本実施形態おいては、理解を容易にするために、１つの物体を特定する例しか示していないが、上記説明したように、複数の物体を特定するようにしても良い。
【００３６】
次いで、中央制御部１０は、仮想内容抽出部１５に、仮想文字内容記憶データベース１２に格納されているテーブルＴＢＬ（図３参照）に記憶されている仮想内容を読み出すよう指示する。これを受けて、仮想内容抽出部１５は、ステップＳ１１にて特定した物体に関連付けて記憶されている仮想内容（ＴＢ３参照）を読み出し、中央制御部１０に送出する。中央制御部１０は、その送出された内容を、ネットワークＮを介して、ユーザ端末２（図１参照）に送信する（ステップＳ１２）。これにより、ユーザ端末２に図５（ｃ）に示す画像Ｐ２ｃが表示されることとなる（ステップＳ１３）。なお、複数の物体が特定された場合は、その特定された物体に関連付けて記憶されている仮想内容が特定された物体毎にそれぞれ読み出されることとなる。
【００３７】
しかして、以上説明した本実施形態によれば、ユーザがユーザ端末２のカメラ機能を用いて図４（ａ）に示す画像Ｐ１を撮像し、その撮像した図４（ａ）に示す画像Ｐ１を仮想内容記憶サーバ１に送信する。そして、撮像した図４（ａ）に示す画像Ｐ１のうち図４（ｂ），（ｃ）に示す物体Ａに対してユーザがユーザ端末２を用いて文字や静止画あるいは動画等の仮想内容を入力し、その入力した仮想内容を仮想内容記憶サーバ１に送信する。これにより、仮想内容記憶サーバ１は、入力された仮想内容を、撮像した図４（ａ）に示す画像Ｐ１のうち図４（ｂ），（ｃ）に示す物体Ａに関連付けて記憶することができる。
【００３８】
しかして、本実施形態によれば、撮像した画像Ｐ１のうち、図４（ｂ），（ｃ）に示す物体Ａに文字や静止画あるいは動画等を仮想的に残すことができる。
【００３９】
また、本実施形態によれば、ユーザがユーザ端末２のカメラ機能を用いて図５（ａ）に示す画像Ｐ１を新たに撮像し、その新たに撮像した図５（ａ）に示す画像Ｐ１を仮想内容記憶サーバ１に送信する。そして、仮想内容記憶サーバ１にて、送信された新たに撮像した図５（ａ）に示す画像Ｐ１のうち、図５（ｂ）に示す物体Ａに基づいて当該仮想内容記憶サーバ１に物体Ａに関連付けて記憶されている文字や静止画あるいは動画等の仮想内容を読み出し、その読み出した仮想内容をユーザ端末２に送信するようにしている。これにより、図４（ｂ），（ｃ）に示す物体Ａに仮想的に残した文字や静止画あるいは動画等を他の人と共有することができる。
【００４０】
なお、本実施形態においては、ユーザ端末２がＧＰＳ機能を備えている例を示したが、備えていなくとも良い。しかしながら、図２に示す仮想内容抽出部１５にて物体特定部１３にて特定した物体を特定するにあたり、寺院や神社等似たような物体がテーブルＴＢＬ（図３参照）に記憶されていた場合、誤った物体を特定してしまう可能性があるため、ユーザ端末２がＧＰＳ機能を備えていた方が、そのＧＰＳ機能により取得した位置情報も用いて特定することができ、もって、確実に目的の物体を特定することができる。それゆえ、ユーザ端末２がＧＰＳ機能を備えていた方が好ましい。
【００４１】
ところで、本実施形態においては、理解を容易にするために、図３に示す物体Ａの位置情報を、位置情報Ａとして全て同じ位置情報を示している例を示したが、実際は、ユーザ端末２のカメラ機能を用いて撮像する位置（場所）が異なれば、同じ物体Ａを撮像したとしても、位置情報に多少の誤差が生じることとなる。それゆえ、位置情報を用いて仮想内容抽出部１５にて物体特定部１３にて特定した物体を特定する際は、一定の範囲内（この誤差範囲は、予め決定しておく）にある位置情報は全て同じ位置情報であるとして処理するようにすれば良い。
【００４２】
一方、本実施形態においては、図４（ａ），図５（ａ）に示すユーザ端末２のカメラ機能を用いて撮像した画像Ｐ１から、物体を特定するようにしたが、物体を特定せず、撮像した画像Ｐ１に対して仮想内容を入力するようにしても良い。さらには、物体を特定するにあたり、仮想内容記憶サーバ１の物体特定部１３を用いて物体を特定する例を示したが、それに限らず、物体を特定する方法は、どのような方法でも良い。例えば、自動で特定する場合に限らず、ユーザが手動で、物体を特定するようにしても良い。また、本実施形態においては、仮想内容記憶サーバ１が物体特定部１３を備えている例を示したが、それに限らず、ユーザが予めユーザ端末２（図１参照）にインストールしているアプリケーションに物体特定部１３の機能を備えさせても良い。
【００４３】
さらに、本実施形態においては、ユーザ端末２に図５（ｃ）に示す画像Ｐ２ｃが表示される例を示すにあたり、特定物体に関連付けて記憶されている仮想内容を全て表示する例を示したが、それに限らず、ユーザが予めユーザ端末２（図１参照）にインストールしているアプリケーションにフィルタ機能を設けて、例えば、１０件だけ表示するようにしても良い。
【００４４】
一方、本実施形態においては、仮想内容記憶サーバ１を一台で構築する例を示したが、勿論、処理を分散させ複数台で構築しても良い。
【００４５】
また、本実施形態において説明した、仮想内容記憶システム及び使用例並びに画面例はあくまで一例であり、これに限定されるものではない。
【００４６】
ところで、このような仮想内容記憶システムは、次の用途に適用することができる。例えば、仮想的な落書きを実現することができる。さらには、特定の物に対して、家族や友達などにメッセージを残すことができ、特定の物に対して、リアルタイムに様々な人々とのコミュニケーションを実現することができる。またさらには、宝物を探すゲームや探検・対戦ゲームなどのゲームにも適用可能である。そしてさらには、美術館の展示物に仮想的な説明文書を表示することもでき、観光地のランドマークの仮想的な紹介文章を表示することもできる。さらには、所定の商品に対して仮想的な宣伝文章やキャンペーン情報などを表示することもでき、建物や観光地のランドマーク等に仮想的な看板を表示することもできる。
【符号の説明】
【００４７】
１      仮想内容記憶サーバ
２      ユーザ端末
１０    中央制御部
１１    ユーザ送信情報取得部
１２    仮想内容記憶データベース
１３    物体特定部
１４    仮想内容入力枠画像生成部
１５    仮想内容抽出部
ＴＢＬ  テーブル
Ｎ      ネットワーク
【図１】
2018106307.tif 000003
【図２】
2018106307.tif 000004
【図３】
2018106307.tif 000005
【図４】
2018106307.tif 000006
【図５】
2018106307.tif 000007
【図６】
2018106307.tif 000008
【図７】
2018106307.tif 000009